(57)【要約】  本発明は、組み合わせ式の毛髪除去装置（１）に関するものであり、前記装置は、少なくとも１つの第１の連結構造物（１４０）を有する電気毛髪除去装置（１００、２０）と、少なくとも１つの第２の連結構造物（２４０）を有するウェットシェービング装置（２００、１０）と、を備え、前記電気毛髪除去装置（１００、２０）は、取り外された状態にある前記電気毛髪除去装置（１００、２０）の個別の動作のために設けられる細長い柄（１１０、２１）を有し、前記ウェットシェービング装置（２００、１０）は、取り外された状態にあるウェットシェービング装置（２００、１０）の個別の動作のために設けられる細長い柄（２１０、１１）を有し、前記ウェットシェービング装置は、皮膚に生えている毛髪を切断するように、シェービング動作中に皮膚と接触するように構成される鋭く細長い刃先を有する少なくとも１つの刃（２２１、１７）を有するウェットシェービングヘッド（２２０、１５）を備える。
2011527914.tif 000002
【特許請求の範囲】
【請求項１】
少なくとも１つの第１の連結構造物（１４０）を有する電気毛髪除去装置（１００、２０）と、
少なくとも１つの第２の連結構造物（２４０）を有するウェットシェービング装置（２００、１０）と、を備え、前記第１の連結構造物（１４０）及び第２の連結構造物（２４０）は、前記電気毛髪除去装置（１００、２０）と前記ウェットシェービング装置（２００、１０）とを少なくとも１つの第１の連結位置において取り外し可能に連結するように互いに結合するように構成され、
前記電気毛髪除去装置（１００、２０）は、取り外された状態にある前記電気毛髪除去装置（１００、２０）の個別の動作のために設けられる細長い柄（１１０、２１）を有し、
前記ウェットシェービング装置（２００、１０）は、取り外された状態にあるウェットシェービング装置（２００、１０）の個別の動作のために設けられる細長い柄（２１０、１１）を有し、
前記ウェットシェービング装置（２００、１０）は、皮膚に生えている毛髪を切断するように、シェービング動作中に皮膚と接触するように構成された鋭く細長い刃先を有する少なくとも１つの刃（２２１、１７）を有するウェットシェービングヘッド（２２０、１５）を備える、組み合わせ式の毛髪除去装置（１、１’）。
【請求項２】
前記電気毛髪除去装置（１００、２０）が、第１の鋸歯状の刃（１２１）と第２の鋸歯状の刃とを有するトリマーヘッド（１２０）を備える電気シェービング装置として実現され、
前記第１の鋸歯状の刃及び第２の鋸歯状の刃の少なくとも一方が、前記第１の鋸歯状の刃と第２の鋸歯状の刃との間に送り込まれる毛髪を切断するよう所定の動作モードで駆動されるように構成される、請求項１に記載の組み合わせ式の毛髪除去装置。
【請求項３】
前記電気毛髪除去装置（１００、２０）が、皮膚と接触するように構成されたシアーフォイル構造物と、前記シアーフォイルの穴の間に送り込まれる毛髪が切断又はせん断されるように所定の動作モードにおいて前記シアーフォイルに対して可動に構成される刃構造物と、を有するシェーバーヘッドを備える電気シェービング装置として実現される、請求項１に記載の組み合わせ式の毛髪除去装置。
【請求項４】
前記電気毛髪除去装置（１００、２０）が、複数の対の締め付け要素を有する脱毛ヘッドを備える脱毛装置（２０）として実現され、
前記締め付け要素はそれぞれ、毛髪が前記締め付け要素間の隙間に送り込まれ得る開放位置と、毛髪が前記締め付け要素間に挟まれる閉鎖位置との間で前記締め付け要素が作動され得るように構成される、請求項１に記載の組み合わせ式の毛髪除去装置。
【請求項５】
前記電気毛髪除去装置（１００）及び前記ウェットシェービング装置（２００）は、前記細長い柄（１１０、２１０）がそれらの長さの実質的な部分にかけて長手方向に並んで延在するよう、取り外し可能に共に連結される、請求項１に記載の組み合わせ式の毛髪除去装置。
【請求項６】
前記電気毛髪除去装置（１００、２０）と前記ウェットシェービング装置（２００、１０）のうち一方の細長い柄（１１０、２１０）が、長手方向に延在する凹部であって、前記電気毛髪除去装置（１００、２０）と前記ウェットシェービング装置（２００、１０）のうち他方の細長い柄（１１０、２１０）の少なくとも一部が位置づけられる凹部を有する、請求項１に記載の組み合わせ式の毛髪除去装置。
【請求項７】
前記第１の連結構造物（１４０）と第２の連結構造物（２４０）のうち少なくとも一方が、２つ以上の連結要素（１４１、１４２、１４３）を有し、前記２つ以上の連結要素（１４１、１４２、１４３）により、前記電気毛髪除去装置（１００、２０）と前記ウェットシェービング装置（２００、１０）との連結が、少なくとも前記第１の連結位置及び第２の連結位置で可能になる、請求項１に記載の組み合わせ式の毛髪除去装置。
【請求項８】
前記第１の連結構造物（１４０）又は第２の連結構造物（２４０）のうち一方が、前記電気毛髪除去装置（１００、２０）と前記ウェットシェービング装置（２００、１０）を互いに対して選択的に移動するための可動要素（１４５）を備える、請求項１に記載の組み合わせ式の毛髪除去装置。
【請求項９】
前記第１の連結構造物（１４０）又は第２の連結構造物（２４０）のうち少なくとも一方が、結合された前記第１の連結構造物（１４０）と第２の連結構造物（２４０）を解放するために設けられる解放要素（２４１）を備える、請求項１に記載の組み合わせ式の毛髪除去装置。
【請求項１０】
前記電気毛髪除去装置（１００）と前記ウェットシェービング装置（２００）との間で電気エネルギーを伝達するための接点構成部（１９０、２９０）を有する、請求項１に記載の組み合わせ式の毛髪除去装置。
【請求項１１】
前記電気毛髪除去装置（１００、２０）が、電力供給される振動モーター（２８０）と、前記振動モーターによって生成される振動を前記ウェットシェービング装置（２００）のウェットシェービングヘッド（２２０）に伝達するように構成される機械的連結部と、を備える、請求項１に記載の組み合わせ式の毛髪除去装置。
【請求項１２】
前記電気毛髪除去装置（１００、２０）が、交換可能な電気毛髪除去ヘッド（１２０）を備える、請求項１に記載の組み合わせ式の毛髪除去装置。
【請求項１３】
電気毛髪除去装置（１００、２０）の個別の動作のために設けられる細長い柄（１１０）と、
ウェットシェービング装置（２００、１０）の個別の動作のために設けられる細長い柄（２１０）を有するウェットシェービング装置（２００、１０）の少なくとも１つの第２の連結構造物（２４０）に前記電気毛髪除去装置（１００、２０）を取り外し可能に連結するように構成される少なくとも１つの第１の連結構造物（１４０）と、を備える、電気毛髪除去装置（１００、２０）。
【請求項１４】
ウェットシェービング装置（２００、１０）の個別の動作のために設けられる細長い柄（２１０）と、
前記シェービング装置（１００、２０）の個別の動作のために設けられる細長い柄（１１０）を有する電気毛髪除去装置（１００、２０）の少なくとも１つの第１の連結構造物（１４０）に前記ウェットシェービング装置（２００、１０）を取り外し可能に連結するように構成される少なくとも１つの第２の連結構造物（２４０）と、を備える、ウェットシェービング装置（２００、１０）。
【発明の詳細な説明】
【技術分野】
【０００１】
本発明は、電気毛髪除去装置とウェットシェービング装置とを備える組み合わせ式の毛髪除去装置に関する。
【背景技術】
【０００２】
国際特許出願第ＷＯ  ２００７／１３０６８０（Ａ１）号は、かみそりアセンブリを取り外し式にするために、毛髪手入れ用具を保持するための手持ち部品の第１の端に連結されるかみそりアセンブリと、手持ち部品の第１の端に連結される鼻毛／耳毛トリマーと、を備えるモジュール式の毛髪手入れ用具を開示している。この鼻毛／耳毛トリマーは、かみそりアセンブリと連結してかみそりアセンブリ内に入れ子状に嵌るように構成される一方、かみそりアセンブリは、手持ち部品の第１の端に連結される。
【０００３】
このモジュール式の毛髪手入れ用具の欠点は、かみそりアセンブリが手持ち部品の第１の端と連結されているときに、鼻毛／耳毛トリマーがかみそりアセンブリによって覆われることである。
【０００４】
国際特許出願第ＷＯ  ２００５／１０２６２３（Ａ２）号は、ウェットかみそりと電気トリマーとのアセンブリを開示している。かみそりの刃は、柄の第１の端に隣接して配置される。トリマーは柄に設置され、動く刃を含む。動く刃はモーターで駆動される。
【０００５】
そのようなアセンブリの欠点は、アセンブリを使用するときにその電気トリマーを駆動するために重いモーターが常にアセンブリに存在しなくてはならないことである。
【０００６】
国際特許出願第ＷＯ  ２００７／０８１８５０（Ａ２）号は、細長い柄と、交換可能なかみそりカートリッジ及びトリマーヘッドと、を含む多用途のシェービング用具を開示している。その細長い柄は、少なくとも部分的にその中に位置づけられる電動モーターを有する。使用者は、かみそりカートリッジを柄に取り外し式に取り付けることができ、また使用者は、かみそりカートリッジが柄に取り付けられていないときにトリマーヘッドを柄に取り外し式に取り付けることができる。
【０００７】
そのようなシェービング用具の欠点は、かみそりカートリッジが柄に取り付けられた状態でシェービング用具を使用するときに、モーターが少なくとも部分的に、細長い柄の中に存在することである。更に、ヘッドの１つが常に柄から取り外されているので、その小さいサイズのためにバスルームで紛失する場合があることも欠点である。
【先行技術文献】
【特許文献】
【０００８】
【特許文献１】国際特許出願第ＷＯ  ２００７／１３０６８０（Ａ１）号
【特許文献２】国際特許出願第ＷＯ  ２００５／１０２６２３（Ａ２）号
【特許文献３】国際特許出願第ＷＯ  ２００７／０８１８５０（Ａ２）号
【発明の概要】
【発明が解決しようとする課題】
【０００９】
したがって、既知の装置が改善された組み合わせ式の毛髪除去装置を提供することが望まれる。
【００１０】
そのような組み合わせ式の毛髪除去装置は、請求項１に従って与えられる。更なる実施形態は、付属の請求項によって与えられる。
【課題を解決するための手段】
【００１１】
提案されている組み合わせ式の毛髪除去装置は、少なくとも１つの第１の連結構造物を有する電気毛髪除去装置と、少なくとも１つの第２の連結構造物を有するウェットシェービング装置と、を備えるものであり、第１の連結構造物及び第２の連結構造物は互いに結合して、電気毛髪除去装置とウェットシェービング装置とを取り外し可能に共に連結する。電気毛髪除去装置は、取り外された状態にある電気毛髪除去装置を個別使用するために設けられる細長い柄を有する。ウェットシェービング装置は、取り外された状態にあるウェットシェービング装置を個別使用するために設けられる細長い柄を有する。細長い柄は使用者の手にそれぞれの装置を便利に保持するために十分に長いので、組み合わせ式の毛髪除去装置はその組み合わされた状態で使用することが可能であり、また電気毛髪除去装置及びウェットシェービング装置を個別に使用することも可能であるが、これは先行技術で既知の装置では不可能なことである。このことは、そのような組み合わせ式の装置の多用途性を増す。
【００１２】
提案されている組み合わせ式の毛髪除去装置では、電気毛髪除去装置は電気シェービング装置としても脱毛装置としても実現され得るものであり、ウェットシェービング装置は、皮膚に生えている毛髪を切断するように、シェービング動作中に皮膚と接触するように構成された鋭く細長い刃先を有する少なくとも１つの刃を有するウェットシェービングヘッドを備える。
【００１３】
電気シェービング装置として実現される電気毛髪除去装置は、例えば、第１及び第２の鋸歯状のかみそりを有するトリマーヘッドを備える場合があり、第１及び第２の刃の少なくとも一方が、第１と第２の鋸歯状の刃との歯の間に送り込まれる毛髪をトリマーヘッドが切断する（すなわち、せん断する）ように、所定の動作モードで駆動されるように構成される。別の実施形態では、電気シェービング装置は、皮膚と接触するように構成されたシアー（sheer）フォイル構造物と、シアーフォイル構造物の穴の間に送り込まれる毛髪が切断又はせん断されるように所定の動作モードにおいてこのシアーフォイルに対して可動に構成される刃構造物と、を有するシェーバーヘッドを備えることができる。具体的には、電気シェービング装置は、電気トリマーヘッドを備える電気トリマーとしても、又はシアーフォイル構造物と刃構造物とを備える電気シアーフォイルシェーバーとしても実現され得る。電気シェービング装置は、当該技術分野で既知のように、乾いた環境及び／又は濡れた環境での毛髪除去用に構成することができる。
【００１４】
電気毛髪除去装置は、複数の対の締め付け要素を備える脱毛装置としても実現可能であり、これらの締め付け要素はそれぞれ、毛髪が対の締め付け要素間の隙間に送り込まれ得る開放位置と、毛髪が対の締め付け要素の対によって挟まれる閉鎖位置との間で動作モード中に作動するように構成される。
【００１５】
一実施形態では、電気毛髪除去装置の細長い柄とウェットシェービング装置の細長い柄とは、長手方向に（それらが細長く延びる方向に）それらの長さの実質的な部分にかけて並んで延在し、１つの細長い柄は他方の細長い柄によって部分的に囲まれている。この実施形態の改良形態では、細長い柄の１つは長手方向に延びる凹部を有し、この凹部に、他方の細長い柄の少なくとも一部が位置づけられる。並んで延在する、又は部分的に囲まれている、又は入れ子状に嵌っている柄は、故に、組み合わせ式の毛髪除去装置の組み合わせ式の柄を形成する。
【００１６】
別の実施形態では、連結構造物の少なくとも一方は、少なくとも２つ以上の連結要素を有することによって、電気毛髪除去装置とウェットシェービング装置との連結を少なくとも２つ以上の連結位置において可能にする。別の実施形態では、第１及び第２の連結構造物の少なくとも一方は、電気毛髪除去装置とウェットシェービング装置を互いに対して選択的に移動するための可動要素を備え、これも、いくつかの連結位置を有することができる。
【００１７】
更に別の実施形態では、第１又は第２の連結構造物の少なくとも一方は、結合された第１及び第２の連結構造物を解放するための少なくとも１つの解放要素を有する。
【００１８】
更なる実施形態では、組み合わせ式の毛髪除去装置は、連結された状態の電気毛髪除去装置とウェットシェービング装置との間の電気エネルギーの移動を可能にする接点構成部を有する。これは、装置のうちの１つから電池を排除することを可能にし、連結された状態の両方の装置にエネルギーを付与することを可能にする。
【００１９】
また更なる実施形態では、電気毛髪除去装置に振動モーターを提供し、組み合わされたシェービング装置は、この振動モーターによって生成される振動をウェットシェービング装置のウェットシェービングヘッドに伝達するための機械的連結部を有する。
【図面の簡単な説明】
【００２０】
本発明は、いくつかの代表的な実施形態の詳細な説明により、及び図の参照により更に解明される。図中、
【図１】第１の連結位置で合体連結されている電気毛髪除去装置とウェットシェービング装置とを備える、提案されている代表的な組み合わせ式の毛髪除去装置の概略側面図。
【図２Ａ】個別に使用することができ、かつウェットシェービング装置に連結して図１に示される組み合わせ式の毛髪除去装置を形成することができる電気毛髪除去装置の概略側面図。
【図２Ｂ】個別に使用することができ、かつ電気毛髪除去装置に連結して図１に示される組み合わせ式の毛髪除去装置を形成することができるウェットシェービング装置の概略側面図。
【図３】図１に示される組み合わせ式の毛髪除去装置の断面図。
【図４】図１に示される組み合わせ式の毛髪除去装置の側面図。電気毛髪除去装置及びウェットシェービング装置は第２の連結位置で合体連結されている。
【図５Ａ】図２Ａに示される電気毛髪除去装置の後側の斜視図。
【図５Ｂ】図２Ｂに示されるウェットシェービング装置の前側の斜視図。代表的な第２の連結構造物を図示している。
【図６Ａ】提案されている別の代表的なウェットシェービング装置の正面図。
【図６Ｂ】図６Ａに示されるウェットシェービング装置の背面図。
【図７】図６Ａ及び６Ｂに示されるウェットシェービング装置を、図６Ａに示される線Ａ−Ａに沿って切ったときの断面図。
【図８】提案されている更なる代表的な組み合わせ式の毛髪除去装置の斜視図。ウェットシェービング装置は、脱毛装置として実現された電気毛髪除去装置に締め付け固定されている。
【発明を実施するための形態】
【００２１】
図１は、提案されている組み合わせ式の毛髪除去装置１の代表的な実施形態の概略側面図である。組み合わせ式の毛髪除去装置１は、電気毛髪除去装置１００とウェットシェービング装置２００とを備える。電気毛髪除去装置１００は、トリマーヘッドとして実現された電気毛髪除去ヘッド１２０を有する電気トリマーの形態での電気シェービング装置として設計されている。ウェットシェービング装置２００は、ウェットシェービングヘッド２２０（ここでは、安全かみそりヘッド）を有する。電気毛髪除去装置１００及びウェットシェービング装置２００は、第１の連結位置で互いに取り外し可能に連結される。連結の詳細を下記に詳述する。
【００２２】
電気毛髪除去装置１００は細長い柄１１０を有し、ウェットシェービング装置２００は細長い柄２１０を有する。電気毛髪除去装置１００の細長い柄１１０とウェットシェービング装置２００の細長い柄２１０とは、組み合わせ式の毛髪除去装置１の一体化された細長い柄１０１を共に形成する。組み合わせ式の毛髪除去装置１の一体化された細長い柄１０１は、組み合わせ式の毛髪除去装置１の動作中に組み合わせ式の毛髪除去装置１が使用者の手で握られるように設計されている。具体的には、電気毛髪除去装置１００の細長い柄１１０とウェットシェービング装置２００の細長い柄２１０は、組み合わせ式の毛髪除去装置１の組み合わされた柄１０１が組み合わせ式の毛髪除去装置１の容易かつ安全な取り扱いを可能にするようなやり方で、個別に形作られる。一体化された細長い柄１０１は、組み合わせ式の毛髪除去装置１の便利な使用を可能にするように設計することができる。すなわち、組み合わせ式の細長い柄１０１の外面は滑らかなものとして及び／又は使用者の手に便利に横たわるように設計することができる。そのような便利な使用は、例えば、電気毛髪除去装置１００の細長い柄１１０とウェットシェービング装置２００の細長い柄２１０とが互いに隣接するエッジに本質的に継ぎ目がない一体化された細長い柄１０１によってもたらされる。そのような実現においては、使用者の手で握られるように意図された組み合わせ式の細長い柄１０１の外面のエリアでのみ、その継ぎ目がないことを達成すれば十分である。その便利な使用は、例えば、使用者の手に解剖学的に適合する組み合わせ式の細長い柄１０１の設計によって達成され得る。電気毛髪除去装置１００及びウェットシェービング装置２００の細長い柄１１０及び２１０はそれぞれ、取り外された状態にある電気毛髪除去装置１００又はウェットシェービング装置２００の個別の動作中に使用者の手で握ることが可能なように設けられる。個別使用のために設けられる細長い柄の典型的な長さは約８ｃｍ以上であり、特定すると１０ｃｍ以上、又はより特定すると１２ｃｍ以上でさえあり、具体的には、ウェットシェービング装置２００の細長い柄２１０は、電気シェービング装置１００の細長い柄１１０より長い。
【００２３】
電気毛髪除去装置１００は、電気トリマーヘッドの形態にある電気毛髪除去ヘッド１２０を有し、ウェットシェービング装置２００は、複数の鋭く細長いかみそり刃が装着される安全かみそりカートリッジとして実現されたウェットシェービングヘッド２２０を有する（当然、ウェットシェービングヘッド２２０が単一の鋭く細長いかみそり刃を備えるか、そのような刃を２つ以上備えるか、又は任意の他の数の刃を備えるかは、本発明に影響しない）。それぞれのヘッドは、シェービング動作中に、皮膚に生えている毛髪を切断又はせん断するように意図される。電気毛髪除去装置１００を電気トリマーとして実現する代わりに、正規の動作中に皮膚と接触するように意図されたシアーフォイル構造物と、このシアーフォイルに対して可動に構成される刃構造物（すなわち、アンダーカッター刃）を有する電気シェービングヘッドとして実現された電気毛髪除去ヘッドを有する電気シアーフォイルシェーバーとして電気毛髪除去装置１００を実現してもよい。また更なる実施形態では、電気毛髪除去装置１００を脱毛装置として実現することも可能であり、これについては更なる代表的な実施形態のための図６Ａ、６Ｂ、７、及び８を参照して詳述する。
【００２４】
図の実施形態では、ウェットシェービング装置２００は電気毛髪除去装置１００の裏側に取り外し可能に連結される。別の実施形態では、組み合わせ式の毛髪除去装置は電気毛髪除去装置の前に取り外し可能に連結されるウェットシェービング装置を備える。更に他の実施形態では、電気毛髪除去装置とウェットシェービング装置は裏側同士で連結される。
【００２５】
図２Ａは、図１にも示されている電気トリマーとして設計された電気毛髪除去装置１００の側面図である。電気毛髪除去装置１００は、取り外された状態で示されている。電気毛髪除去装置１００は、電気毛髪除去装置１００をその取り外された状態で個別に使用するために設計された細長い柄１１０を有する。電気毛髪除去装置１００の細長い柄１１０は、特に毛髪除去動作中に使用者の手で便利に握られるように設計されている。電気トリマーの形態にある電気シェービング装置として設計された電気毛髪除去装置１００は、電気トリマーヘッドの形態にある電気毛髪除去ヘッド１２０と、電気毛髪除去ヘッド１２０の可動構成要素を駆動するためのモーター（図示せず）とを有する。また、コンセント電源電圧との接続からモーターに独立に給電するために電池コンパートメント内に提供される電池を装備してもよく、追加的に又はその対等物として、電気毛髪除去装置１００にソケットを装備して、電気毛髪除去装置１００をそれぞれの対応するケーブルを伴うコンセント電源電圧に接続してもよい。電気毛髪除去ヘッド１２０は、電気毛髪除去ヘッド１２０を電気毛髪除去装置の細長い柄１１０から独立して洗浄できるように、又は電気毛髪除去ヘッド１２０を別の電気毛髪除去ヘッドと交換することができるように、電気毛髪除去装置１００の細長い柄１１０に取り外し可能に装着することができる（例えば、電気毛髪除去ヘッド１２０が図のような電気トリマーヘッドである場合、異なる電気毛髪除去ヘッドは、異なる切断幅又は異なるスタイルのトリマーブレードを有する電気トリマーヘッドである場合がある）。次に、一致するモーター構成要素又は一致するモーターを複数の交換可能な電気毛髪除去ヘッド内に提供することができるように、電気毛髪除去装置１００のモーター全体を細長い柄１１０内に位置づけるか、又はモーターの一部又は全体を電気毛髪除去ヘッド内に位置づけることができる。
【００２６】
図２Ｂは、図１にも示されている安全かみそりの形態で設計されたウェットシェービング装置２００の側面図である。ウェットシェービング装置２００は、取り外された状態で示されている。ウェットシェービング装置２００は、ウェットシェービング装置２００をその取り外された状態で個別に使用するために設計された細長い柄２１０を有する。ウェットシェービング装置２００の細長い柄２１０は、特にシェービング動作中に使用者の手で便利に握られるように設計されている。ウェットシェービング装置２００は、安全かみそりカートリッジの形態にあるウェットシェービングヘッド２２０を有しており、そのウェットシェービングヘッドにおいて設けられる少なくとも１つの細長く鋭いかみそり刃の振動を励起するために構成される振動モーターを備えることができる。ウェットシェービングヘッド２２０は、皮膚に生えている毛髪を切断するために、シェービング動作中に皮膚と接触するように意図される少なくとも１つの細長く鋭いかみそり刃を備える。ウェットシェービングヘッド２２０はまた、当該技術分野で概して既知のように、そのような細長く鋭いかみそり刃を２つ以上備えてもよい。１つ以上のかみそり刃は、例えば、かみそりカートリッジに装着することができ、このかみそりカートリッジは、当該技術分野で既知のようにそのままウェットシェービング装置２００の細長い柄２１０に取り外し可能に装着することができる。加えて、ウェットシェービング装置２００は電池コンパートメントを備えることができ、このコンパートメントに電池を提供して振動モーターに電力を供給することができる。ウェットシェービング装置２００は、ウェットシェービング装置２００の細長い柄２１０の電池コンパートメントに電池を提供して電力を供給するための構成を有するのではなく、すなわちそのような構成の代替として、取り付けられた状態にある電気毛髪除去装置１００とウェットシェービング装置２００との間のエネルギー移動を可能にするように、電気毛髪除去装置１００に設けられるそれぞれの接点構成部に接触するために設けられる接点構成部を有してもよい（これについてはまた、図３を参照して説明する）。
【００２７】
図３は、図１に示される組み合わせ式の毛髪除去装置１の断面図である。電気毛髪除去装置１００は、電気トリマーとして設計されている。ウェットシェービング装置２００は、安全かみそりとして設計されている。
【００２８】
電気毛髪除去装置１００は、細長い柄１１０と、電気トリマーヘッドとして実現された電気毛髪除去ヘッド１２０とを備える。モーター１５０は、電気毛髪除去装置１００の細長い柄１１０の内部に位置づけられ、このモーター１５０に、電池コンパートメント１６１に提供された電池１６０によって選択的に電力を供給することができる。電気毛髪除去装置１００には、電気トリマーヘッドのスイッチを選択的に入れるために容量性のスイッチとして実現されたセレクタ１７０が装備される。容量性のスイッチの代わりに、電気トリマーのスイッチをオン／オフ切り替えするための及び／又は可動トリマーブレードの多様な速度を設定するための任意の他の種類のスイッチ、例えば、多様なロック位置を有する回転式ノブのようなものもまた可能である。当該技術分野で既知のように、モーター１５０は、偏心輪タペットを有するモーターシャフト１５１を駆動するものであり、タペットは動作中、キャリアのスロットと結合して偏心輪タペットの回転動作をキャリアの線形振り子動作に転換する。可動の（第１の）鋸歯状のトリマーブレード１２１はキャリアに装着されて、固定装着された（第２の）鋸歯状のトリマーブレードと相互作用することにより、トリマーブレードの歯の間に送り込まれる毛髪を、刃先の具体的な実現に依存してそれぞれ切断又はせん断する。
【００２９】
ウェットシェービング装置２００は、細長い柄２１０と、取り外し可能に装着された、複数の鋭く細長いかみそり刃２２１を保持するかみそりカートリッジとして実現されたウェットシェービングヘッド２２０とを備える。
【００３０】
図３に概略的に示されるように、電気毛髪除去装置１００は、組み合わせ式の毛髪除去装置１を形成するためにウェットシェービング装置２００に提供された第２の連結構造物２４０と取り外し可能に接続される第１の連結構造物１４０を有する。第１の連結構造物１４０及び第２の連結構造物２４０は、組み合わせ式の毛髪除去装置１のシェービング動作中に電気毛髪除去装置１００とウェットシェービング装置２００とを固定連結するように構成される。一実施形態では、第１の連結構造物１４０及び第２の連結構造物２４０は、スナップ嵌め連結で接続可能な部品として実現され、第１の連結構造物１４０は正の連結体であってよく、第２の連結構造物２４０は正の連結体にスナップ嵌めするように設計された負の連結体であってよい。スナップ嵌め連結は、通常の毛髪除去動作では生じない閾値を超える特定の解放力を付加することによって第１の連結構造物１４０及び第２の連結構造物２４０を互いから解放するために十分に可撓性であるように実現することができる。スナップ嵌め連結にはまた、解放要素２４１が第２の連結構造物２４０の一部となっている図３に概略的に示されるような付加的な解放機構を提供してもよい。解放要素２４１を方向Ｂに押し下げて、係合フックのようなばね仕掛けの要素に作用することにより、係合フックがばね張力に対して移動して、付加的な力を付与せずに第１の連結構造物１４０と第２の連結構造物２４０を分離できるようにすることが可能である。別の実施形態では、第１の連結構造物１４０をねじ穴として実現し、第２の連結構造物２４０を、ウェットシェービング装置２００に設けられるノブによって回転することが可能な対応するねじスクリューとして実現する。戻り止めレバー、戻り止めばね、差し込み連結、ばね仕掛け玉戻り止めのような他の種類の連結もまた可能である。
【００３１】
当然、電気毛髪除去装置１００が例えば正の連結体を有するかどうか、及びシェービング装置２００が負の連結体を有しているかどうかは無関係であるが、第１の連結構造物１４０と第２の連結構造物２４０とが電気毛髪除去装置１００とウェットシェービング装置２００とを取り外し可能に接続する限りは、そのような連結構造物を逆にして提供すること（負の連結体を電気毛髪除去装置１００で実現し、正の連結体をウェットシェービング装置２００で実現すること）もまた可能である。第１の連結構造物１４０及び第２の連結構造物２４０は通常、電気毛髪除去装置１００とウェットシェービング装置２００が並んで連結されるように、細長い柄の周辺の位置に位置づけられる。
【００３２】
一実施形態では、電気毛髪除去装置は電気毛髪除去装置の長手方向軸に沿って延びる凹部を有するが、この凹部は、ウェットシェービング装置の細長い柄の少なくとも一部を受け入れるように設計される。この凹部をアンダーカットと共に実現することができ、それにより、ウェットシェービング装置の細長い柄の少なくとも一部を凹部にスナップ嵌めすることができる。当然、そのような長手方向に延びる凹部を、（図６Ａ、６Ｂ、７、及び８を参照して説明するように）ウェットシェービング装置の細長い柄に提供してもよい。
【００３３】
図３に示される実施形態では、電気毛髪除去装置１００及びウェットシェービング装置２００は、電気毛髪除去装置１００に構成された接点１９０及びウェットシェービング装置２００に構成された接点２９０である接点構成部１９０、２９０を有し、これらの接点構成部は少なくとも１つの第１の連結位置で導電性に共に連結される（一実施形態では、例えば少なくとも２つの異なる長手方向に変位した連結位置で導電性の連結が達成されるように、接点１９０又は接点２９０を細長くすることができる）。接点構成部１９０、２９０は、電気毛髪除去装置１００とウェットシェービング装置２００との間の電気エネルギーの移動を可能にするように設計される。図の実施形態では、エネルギーは、かみそり刃の振動を励起するために、電気毛髪除去装置１００に提供される電池１６０から、ウェットシェービング装置２００に装着された振動モーター２８０に伝達される。別の実施形態では、振動モーターは電気毛髪除去装置１００に提供され、電気毛髪除去装置１００とウェットシェービング装置２００との間の機械的な連結は振動モーターによって生成される振動をウェットシェービング装置２００に伝達することを可能にする。そのような実施形態では、ウェットシェービング装置２００の毛髪除去ヘッド２２０を機械的連結部の近くに配列することができる。
【００３４】
図４は、図１に示される組み合わせ式の毛髪除去装置と同様の組み合わせ式の毛髪除去装置１の側面図である。電気毛髪除去装置１００とウェットシェービング装置２００とは、図１のものと異なる立体形状的関係で共に連結されている。図４に示される連結位置は、その唯一の連結位置である場合がある。あるいは、電気毛髪除去装置１００及びウェットシェービング装置２００にそれぞれ設けられる第１の連結構造物及び／又は第２の連結構造物が、電気毛髪除去装置１００とウェットシェービング装置２００とを２つ又はそれ以上もの連結位置で共に連結することを可能にすることもできる。第２の連結構造物をねじスクリューとして実現する場合は、第１の連結構造物は２つ又はそれ以上ものねじ穴を備えて、電気毛髪除去装置１００とウェットシェービング装置２００とを２つ又はそれ以上もの連結位置で取り外し可能に接続することができる。あるいは、第１の連結構造物は、第１の連結構造物の一部である可動要素に設けられるねじ穴を備えてもよく、可動要素を２つ又はそれ以上ものロックされた位置に、例えば差し込んだり又はねじ込んだりすることができる。連結構造物の実現については、図５Ａ及び図５Ｂを参照してより詳細に説明する。
【００３５】
図５Ａは、図１、２Ａ、３、及び４に示される電気毛髪除去装置１００の裏側の斜視図である。第１の連結構造物１４０は概略的に示されている。図の実施形態では、第１の連結構造物１４０は、ウェットシェービング装置を電気毛髪除去装置１００に３つの異なる連結位置で連結するための３つの連結要素１４１、１４２、１４３を備える。第１の連結位置を図４に示される連結位置にすることが可能であり、皮膚に生えている毛髪を一回のストロークで除去できるように電気毛髪除去装置１００及びウェットシェービング装置２００の毛髪除去ヘッドが整合されるので、電気毛髪除去装置１００とウェットシェービング装置とを同時に使用することを可能にする。電気毛髪除去装置としての電気トリマー及びウェットシェービング装置としての安全かみそりを伴う実施形態では、毛髪は電気トリマーの電気トリマーヘッドによって最初に切断（又はせん断）されてから安全かみそりのシェービングヘッドによって切断されるので、完全な毛髪除去の結果が一回のストロークで達成され得る。第２の連結位置を図１に示される位置にすることが可能であり、このウェットシェービング装置は、使用者の指とウェットシェービング装置の毛髪除去ヘッドの鋭い刃との間の一切の直接の接触が全て効果的に回避されるように、ウェットシェービング装置の毛髪除去ヘッドが電気毛髪除去装置によって覆われる収納位置にある。この第２の連結位置では、電気毛髪除去装置を単独で使用することができる。第３の連結位置は、ウェットシェービング装置の毛髪除去ヘッドが電気毛髪除去装置の毛髪除去ヘッドの上に突出している位置にすることができる。この第３の連結位置では、ウェットシェービング装置のみを使用することができる。
【００３６】
第１の連結構造物１４０はまた、電気毛髪除去装置１００の裏側上での選択的な運動のために設けられる可動要素１４５も備える。一実施形態では、第１の連結構造物１４０は、可動要素１４５上に配置される１つの連結要素１４１のみを備えるが、組み合わせ式のシェービング装置のいくつかの連結位置は、電気毛髪除去装置に対する可動要素１４５の選択的な移動によって達成される。可動要素１４５に、いくつかのロックイン位置を提供することができ、これは、例えば、重ね合わせ機構を有するばね仕掛けの玉戻り止めによって達成される。
【００３７】
図５Ｂは、図１、２Ｂ、３、及び４に示されるウェットシェービング装置２００の前側の斜視図である。第２の連結構造物２４０は概略的に示されている。この代表的な実施形態では、第２の連結構造物２４０は、図５Ａに示される電気毛髪除去装置の３つの連結要素のいずれか１つと連結するように構成される１つの連結要素のみを備えるので、電気毛髪除去装置とウェットシェービング装置２００とを、言及された３つの連結位置の任意の１つと接続することができる。
【００３８】
図１、２Ａ、２Ｂ、３、４、５Ａ、及び５Ｂを参照して説明される多様な特徴の全ては、電気毛髪除去装置としての電気トリマーを伴う実施形態にそれらを制約するものとして解釈されるべきではないことに注意されたい。電気毛髪除去装置が、皮膚と接触するように意図されたシアーフォイル構造物を有する電気シェーバー装置である同様の実施形態、又は電気毛髪除去装置が脱毛装置である同様の実施形態も可能である。
【００３９】
以下に、電気毛髪除去装置が脱毛装置として実現され、ウェットシェービング装置が再び安全かみそりとして実現される、更なる代表的な実施形態を説明する。この代表的な実施形態では、ウェットシェービング装置は脱毛装置の細長い柄を包囲する細長い柄を有する。
【００４０】
図６Ａは、安全かみそりとして実現された代表的なウェットシェービング装置１０の前側の図である。ウェットシェービング装置１０は、電気毛髪除去装置の細長い柄を覆うように取り外し可能に滑入される、提案の組み合わせ式の毛髪除去装置を形成するように意図された細長い柄１１を有する（図８は、その結果として組み合わされた毛髪除去装置１’を示す）。取り付けられた状態で、細長い柄１１は図８に示された電気毛髪除去装置の細長い柄の少なくとも一部を包囲する。したがって、ウェットシェービング装置１０は、図の実施形態では電気毛髪除去装置の細長い柄の周囲に締め付け固定されることになる細長い柄１１を備える。これまでのところ、ウェットシェービング装置１０は、入手可能な電気毛髪除去装置の修正を一切必要としない。使用者は、靴を滑らせて足に履かせるように、ウェットシェービング装置１０を滑らせて電気毛髪除去装置に単純に被せることができる。ウェットシェービング装置１０は、図の実施形態では、Ｇｉｌｌｅｔｔｅ  Ｖｅｎｕｓ（商標）Ｅｍｂｒａｃｅのような安全かみそりで、一般に既知のようにいくつかの鋭く細長いかみそり刃１７が装着されたかみそり刃ブロック１６を備える安全かみそりカートリッジとして実現されているウェットシェービングヘッド１５を更に備える。図のウェットシェービングヘッド１５は、ウェットシェービングカートリッジで一般に既知のような潤滑剤の細長い片及び／又はマッサージ層板を更に備えることができる。
【００４１】
細長い柄１１は、それが意図される電気毛髪除去装置の細長い柄（すなわち、その本体）の周囲にぴったりと適合するように予め形成される。細長い柄１１は、電気毛髪除去装置の細長い柄を収容するように形作られる内側１２を有する。細長い柄構造物１１は、電気毛髪除去装置の本体の周囲に締め付け固定されることになる屈曲した部品１１ａ、１１ｂ、及び１１ｃを有する。図の例では、屈曲した部品１１ａ、１１ｂ、及び１１ｃは柄構造物１１の３つの側部（すなわち、図に向かって左側、右側及び下側）に延在する。屈曲した部品１１ａ、１１ｂ、及び１１ｃは内側に曲げられて、細長い柄１１の窪んだ内側１２によって形成される空間を部分的に囲むことにより、細長い柄１１が電気毛髪除去装置の細長い柄の３つの側部の周囲に締め付け固定されることを可能にする（図８に図示）。３つの側部の代わりに、細長い柄１１は２つの屈曲した部品１１ａ及び１１ｂのみを有してもよく、この場合、細長い柄１１は電気毛髪除去装置の細長い柄の２つの側部の周囲に締め付け固定されることになる。別の実施形態では、細長い柄１１は、例えば電気毛髪除去装置の細長い柄の頭部の周囲に締め付け固定されることになる、毛髪除去ヘッド１５の左側及び右側の短い屈曲した細長い片のような屈曲された部品を更に上側にも有することができる。少なくとも屈曲した部品１１ａ及び１１ｂは、ウェットシェービング装置の細長い柄に被せて細長い柄１１が滑入されたときにわずかに外側に曲げられるように予め形成される。曲げられた屈曲した部品１１ａ及び１１ｂ（及び所望により１１ｃ）を介して付加される締め付け力によって、ウェットシェービング装置１０は電気毛髪除去装置と固定接続され、したがって、屈曲した部品１１ａ、１１ｂ、及び１１ｃは第２の連結構造物を形成する。細長い柄の構造物の材料及び／又は細長い柄１１の内面１２ａ及び／又は細長い柄１１の内面１２ａのある一定の粗さの特定の選択によって、柄の構造物１１の内面１２ａと電気毛髪除去装置の細長い柄の外面との間の接着及び摩擦抵抗による定着を強めることができる。この実施形態では、電気毛髪除去装置の細長い柄自体が、屈曲した部品１１ａ、１１ｂ、及び１１ｃに形状適合する対応物を提供し、第１の連結構造物を形成する。
【００４２】
図６Ｂは、図６Ａに図示されるウェットシェービング装置１０の後側の図である。細長い柄１１は、ウェットシェービングヘッド１５を保持する締め付け構造物からウェットシェービングヘッド１５を解放するために、安全かみそりで既知のような解放機構１４を備える。当然、図の解放機構１４は、採用可能な解放機構の１つの代表的な実施形態にすぎない。ウェットシェービングヘッド１５は、例えば、付加された力によりウェットシェービングヘッド１５が垂直浮動運動することを可能にするガイドされたばね上にウェットシェービングヘッド１５を装着することによって、細長い柄１１に浮動式に装着することもできる。更に、動作中に使用者の手で握られるように意図される細長い柄１１の外側１３は目に見える。外側１３は外面１３ａと、図で外側１３ａの一部の穿孔として実現されているテクスチャ１３ｂとを有する。テクスチャ１３ｂは、特に例えばシャワー中など濡れた環境で使用するときに、細長い柄１１のグリップを補強する。穿孔の代わりに、テクスチャを凹又は凸（例えば、裂け目、節など）として実現してもよい。グリップの補強、特に濡れた環境でのグリップの補強は、テクスチャが巨視的なサイズを有する場合、すなわち、テクスチャ要素の少なくとも横方向の寸法が０．５ｍｍ、１ｍｍ、２ｍｍ、又は５ｍｍのような最小値を有するときに、最適である。
【００４３】
細長い柄１１は、電気毛髪除去装置の細長い柄の突起部の周囲に形状適合するように形作られた開口部１８を更に有する。そのような形状適合コネクタ要素は、細長い柄１１と電気毛髪除去装置の細長い柄との間の固定接続を補強する。概して、細長い柄１１は、電気毛髪除去装置の細長い柄に実現されるコネクタ構造物と結合するコネクタ構造物を備えることができ、例えば、細長い柄１１は弾性のきのこのような突起を備えることができ、電気毛髪除去装置の細長い柄は解放可能なスナップ嵌めのやり方できのこのような突起を受け入れるアンダーカットされた穴を備えることができる。すると、ウェットシェービング装置の細長い柄に実現されたコネクタ構造物（例えば、開口部１８）は第２の連結構造物の部分を形成することになり、すると、電気毛髪除去装置の細長い柄に実現されたコネクタ装置（例えば、電気毛髪除去装置の細長い柄の前述の突起部）は第１の連結構造物の部分を形成することになる。
【００４４】
図７は、図６Ａ及び６Ｂに図示されるウェットシェービング装置１０を、図６Ａに示される線Ａ−Ａに沿って切ったときの断面図である。細長い柄１１は比較的薄い壁厚を有し、ここでは０．５〜３ｍｍの範囲である。細長い柄１１の内側１２は、電気毛髪除去装置の細長い柄を収容するように形作られる。屈曲した部品１１ｂ及び１１ｃは内側に曲げられて、細長い柄１１の内側１２によって画定される空間を部分的に囲む。締め付け構造物及び解放機構１４の解放ボタンは目に見える。
【００４５】
図８は、組み合わせ式の毛髪除去装置１’の斜視図であり、図６Ａ、６Ｂ、及び７に示されたウェットシェービング装置１０は、図の実施形態では脱毛装置として実現される電気毛髪除去装置２０の周囲に締め付け固定されている。電気毛髪除去装置２０は、ウェットシェービング装置１０が取り外されたときに使用者の手で握られるように意図された細長い柄２１を有する。電気毛髪除去装置２０は、毛髪を除去するために使用者の皮膚と接触するように意図された電気毛髪除去ヘッド２２を更に有し、この電気毛髪除去ヘッド２２は脱毛ヘッドとして実現されている。ウェットシェービング装置１０の細長いハンドル１１は、電気毛髪除去装置２０の電気毛髪除去ヘッド２２が、細長い柄１１によって覆われないまま残るように電気毛髪除去装置２０の周囲に締め付け固定される。電気毛髪除去装置２０の細長い柄とウェットシェービング装置１０の細長い柄とは、組み合わせ式の毛髪除去装置１’の一体化された柄１０１を共に形成する。ウェットシェービング装置１０のウェットシェービングヘッド１５は、かみそり刃１７が使用方向Ｂに沿って皮膚上を引き寄せられたときにのみ毛髪を切断することになるように、かみそり刃の切断刃先によって画定される使用方向Ｂに対して電気毛髪除去ヘッド２２の後に刃１７が横たわるように構成される。したがって、図の組み合わせ式毛髪除去装置１’は、一回のストロークで完全に毛髪を除去することになる。まず、脱毛ヘッドとして実現された電気毛髪除去装置２０の毛髪除去ヘッド２２によって、皮膚に生えている毛髪が引き抜かれ、次いで、安全かみそりヘッドとして実現されたウェットシェービング装置１０のウェットシェービングヘッド１５によって、引き抜かれずに残った毛髪が切断される。屈曲した部品１１ａ、１１ｂ、及び１１ｃは、電気毛髪除去装置２０の細長い柄２１より若干小さい細長い柄１１の内側１２によって形成された空間を部分的に囲むので、屈曲した部品１１ａ、１１ｂ、及び１１ｃは電気毛髪除去装置２０の細長い柄２１に対する応力を予め与えられ（pre-stressed against the elongated handle 21）、したがって、ウェットシェービング装置１０の細長い柄１１は電気毛髪除去装置２０の細長い柄２１に固定される。
【００４６】
本明細書に開示される寸法及び値は、列挙された正確な数値に厳しく制限されるものとして理解されるべきでない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【図１】
2011527914.tif 000003
【図２Ａ】
2011527914.tif 000004
【図２Ｂ】
2011527914.tif 000005
【図３】
2011527914.tif 000006
【図４】
2011527914.tif 000007
【図５Ａ】
2011527914.tif 000008
【図５Ｂ】
2011527914.tif 000009
【図６Ａ】
2011527914.tif 000010
【図６Ｂ】
2011527914.tif 000011
【図７】
2011527914.tif 000012
【図８】
2011527914.tif 000013
【国際調査報告】
2011527914.tif 000014
2011527914.tif 000015
2011527914.tif 000016
2011527914.tif 000017
2011527914.tif 000018
2011527914.tif 000019